(57)【要約】【課題】シリンジの外筒のフランジ部が種々の厚さを有していても、輸液中におけるシリンジの外筒の移動が確実に防止されて輸液が正確な速度で行われるシリンジポンプを提供する。【解決手段】フランジ装着部３６が端面４５とフランジ押圧板４６とを有しており、フランジ押圧板４６が回動によって端面４５に対して接近及び離隔可能である。このため、シリンジ７２の外筒７３のフランジ部７４が種々の厚さを有していても、端面４５とフランジ押圧板４６との間にフランジ部７４が容易に装着され、この様に装着が容易であるにも拘らず装着状態ではフランジ部７４が端面４５に圧接される。【選択図】　図１
2004073373.tif 000002
【特許請求の範囲】
【請求項１】
シリンジの外筒のフランジ部を圧接されてこのフランジ部を支持するフランジ支持部と、回動によって前記フランジ支持部に対して接近及び離隔可能な可動部とを有しており、前記フランジ支持部と前記可動部との間に前記フランジ部が装着されるフランジ装着部と、
前記可動部に前記回動を行わせるためのフランジ装着操作部と
を具備するシリンジポンプ。
【請求項２】
前記外筒を圧接されてこの外筒を支持する外筒支持部と、この外筒支持部への前記外筒の押圧及びこの押圧の解除を行う外筒押圧部と、を有する外筒装着部を具備しており、
前記フランジ装着操作部が前記外筒押圧部を兼ねている請求項１に記載のシリンジポンプ。
【請求項３】
シリンジの外筒のフランジ部を圧接されてこのフランジ部を支持するフランジ支持部と、回動によって前記フランジ支持部に対して接近及び離隔可能な可動部とを有しており、前記フランジ支持部と前記可動部との間に前記フランジ部が装着されるフランジ装着部と、
前記外筒を圧接されてこの外筒を支持する外筒支持部と、この外筒支持部への前記外筒の押圧及びこの押圧の解除を行う外筒押圧部と、を有する外筒装着部と、
前記可動部の前記接近の完了後に前記外筒押圧部に前記押圧を行わせる差動部と
を具備するシリンジポンプ。
【請求項４】
シリンジの外筒のフランジ部が装着されるフランジ装着部と、
このフランジ装着部に前記フランジ部が装着されているか否かを検知する検知部と
を具備するシリンジポンプ。
【発明の詳細な説明】
【０００１】
【発明の属する技術分野】
本願の発明は、シリンジを用いて各種の薬液や血液等を人体に注入するシリンジポンプに関するものである。
【０００２】
【従来の技術】
図９は、シリンジポンプの第一従来形態を示している（特公昭６３−４４３８９号公報）。この第一従来形態のシリンジポンプ１１には、筐体１２の上面部である操作・表示部１３とシリンジ装着部１４とが設けられている。操作・表示部１３には各種の操作釦や表示部が設けられており、シリンジ装着部１４にはフランジ装着部１５、外筒装着部１６、スライダ１７及びシリンジ径検知部１８が設けられている。外筒装着部１６には、溝状の断面を形成している一対の突条２１が設けられている。
【０００３】
フランジ装着部１５には、一対の突条２１におけるスライダ１７側の端面２１ａと、端面２１ａに対向している一対の突部２２と、端面２１ａと突部２２との間のスリット２３とが設けられている。この様なシリンジポンプ１１を使用するためには、薬液等が装填されているシリンジ２４をシリンジ装着部１４に装着する。この装着に際しては、シリンジ２４の外筒２５を外筒装着部１６及びシリンジ径検知部１８に装着し、外筒２５のフランジ部２６をスリット２３内に挿入し、内筒２７のフランジ部２８をスライダ１７に装着する。
【０００４】
シリンジ２４は複数の製造元で製造されており、また、同じ製造元で製造されるシリンジ２４にも複数の型式がある。シリンジ２４の各部の寸法はシリンジ２４の型式によって異なっており、外筒２５のフランジ部２６の厚さもシリンジ２４の型式によって異なっている。一方、シリンジポンプ１１は何れの型式のシリンジ２４も使用できる様に設計されている。このため、各種の型式のシリンジ２４のうちで最も厚いフランジ部２６でも挿入可能な様に、スリット２３の幅が決定されている。
【０００５】
外筒２５の直径もシリンジ２４の型式によって異なっている。しかし、シリンジ径検知部１８が外筒２５の直径を検知するので、所望の輸液速度を得るためのスライダ１７のスライド速度が直径の検知に基づいて決定される。そして、この決定されたスライド速度でスライダ１７がフランジ装着部１５に接近する方向へスライドして内筒２７のフランジ部２８を押圧することによって、内筒２７を外筒２５内へ徐々に挿入していく。この結果、外筒２５の直径に拘らず、常に所望の輸液速度で輸液が行われる。
【０００６】
そして、内筒２７の先端が所定の距離だけ端面２１ａから離隔した状態に対応する位置までスライダ１７がスライドすると「輸液完了所定時間前警報」が発せられ、更に内筒２７の先端が外筒２５の注入端に到達する距離だけ端面２１ａから離隔した状態に対応する位置までスライダ１７がスライドすると「輸液完了警報」が発せられる。つまり、輸液に際しての輸液量の算出は、フランジ部２６が端面２１ａに圧接されていることを前提にして行われる。
【０００７】
シリンジポンプの第二従来形態では、上述の第一従来形態のシリンジポンプ１１における一対の突部２２同士の間に、シリンジ２４の外筒２５のフランジ部２６を端面２１ａに弾性的に押圧するための弾性支持片が設けられている（特公平６−３６８２７号公報）。
【０００８】
【発明が解決しようとする課題】
ところが、上述の第一従来形態のシリンジポンプ１１では、上述の様に、各種の型式のシリンジ２４のうちで最も厚いフランジ部２６でも挿入可能な様にスリット２３の幅が決定されている。このため、フランジ部２６をスリット２３内に挿入すると、通常は、スリット２３とフランジ部２６との間に隙間が生じる。
【０００９】
この結果、スライダ１７が内筒２７を押圧すると、フランジ部２６が端面２１ａに圧接されるまでは、外筒２５も注入端方向へ移動する。外筒２５のこの移動中は、輸液が全く行われないか、または、輸液速度が低下している。この場合の外筒２５の移動距離が微少であっても、薬効の高い薬液を微量輸液している場合等には、外筒２５のこの移動は無視することができない。
【００１０】
これに対して、上述の第二従来形態のシリンジポンプでは、シリンジ２４の外筒２５のフランジ部２６を端面２１ａに弾性的に押圧するための弾性支持片が設けられているので、この弾性支持片と端面２１ａとの間にフランジ部２６を嵌入すれば、フランジ部２６が端面２１ａに圧接されて、スライダ１７が内筒２７を押圧しても、外筒２５が注入端方向へ移動することはない。
【００１１】
ところが、このシリンジポンプにシリンジ２４が装着されている状態では、弾性支持片の上方にシリンジ２４の内筒２７が位置するので、弾性支持片を短くせざるを得ない。また、薄い弾性支持片では破損し易いので、弾性支持片を厚くせざるを得ず、その結果、弾性支持片の弾性力が強い。この様に弾性支持片が短く且つその弾性力が強いと、弾性支持片を弾性変形させるためには、弾性支持片に強い力を印加しなければならない。しかも、弾性支持片が弾性変形していない状態では、弾性支持片と端面２１ａとの間隔が極めて狭い。
【００１２】
このため、弾性支持片と端面２１ａとの間にフランジ部２６を嵌入しにくく、また、フランジ部２６が嵌入していなくても嵌入していると操作者が錯誤し易い。結局、この第二従来形態のシリンジポンプでも、スライダ１７による内筒２７の押圧によって、フランジ部２６が端面２１ａに圧接されるまで、外筒２５が注入端方向へ移動する場合が多かった。
【００１３】
また、第一及び第二従来形態の何れのシリンジポンプ１１でも、シリンジ２４の装着に際して、外筒２５のフランジ部２６が、正しい位置であるスリット２３内に装着されずに、誤った位置、例えば図９に一点鎖線で示されている様に突部２２よりもスライダ１７側の位置に装着されても、この誤った位置への装着は一切検知されない。そして、図９に一点鎖線で示されている様に外筒２５のフランジ部２６が突部２２よりもスライダ１７側の位置に装着されていると、フランジ部２６がスリット２３内に装着されている場合に比べて、内筒２７のフランジ部２８が端面２１ａから余分に離隔する。
【００１４】
このため、内筒２７のフランジ部２８をスライダ１７に装着する際に、スライダ１７も端面２１ａから余分に離隔させる必要がある。従って、シリンジポンプ１１は、シリンジ２４に実際に装填されている量よりも多い量の輸液を行う必要があると認識して、つまり、正しい距離よりも長い距離に亙ってスライダ１７をスライドさせる必要があると認識して、輸液を開始する。この結果、「輸液完了警報」を発する前や、場合によっては「輸液完了所定時間前警報」さえも発する前に、内筒２７の先端が外筒２５の注入端に到達してしまう。
【００１５】
一方、内筒２７の先端部には、液密等のためにゴム製等の可撓性のシール部材が取り付けられている。このため、内筒２７の先端が外筒２５の注入端に到達した後も、スライダ１７による内筒２７の押圧が継続していると、内筒２７の先端部におけるシール部材が圧縮されて変形する。つまり、シール部材が圧縮されて変形している間は、スライダ１７による内筒２７の押圧が継続する。しかし、シール部材の圧縮変形にも限界があるので、スライダ１７が内筒２７を押圧しているにも拘らず内筒２７を移動させることができない状態になると、シリンジポンプ１１はシリンジ２４が閉塞していると認識して「閉塞警報」を発する。
【００１６】
ところが、内筒２７の先端が外筒２５の注入端に到達した時から「閉塞警報」が発せられる時までの間は、実際には輸液が全く行われていない。従って、「閉塞警報」によって直ちにシリンジ２４を交換しても、輸液が中断していたことになる。血圧昇圧剤や血圧降圧剤等を微量注入するために輸液が行われている場合の輸液の中断は、患者の生死を決定づける程に重要である。また、輸液の中断がそれ程には重要でなくても、「輸液完了所定時間前警報」や「輸液完了警報」が発せられる前に実際には輸液が完了したり、実際にはシリンジ２４が閉塞していないにも拘らず「閉塞警報」が発せられたりすると、操作者に混乱を来す。
【００１７】
従って、本願の発明は、シリンジの外筒のフランジ部が種々の厚さを有していても、輸液中におけるシリンジの外筒の移動が確実に防止されて輸液が正確な速度で行われ、また、シリンジの外筒のフランジ部がフランジ装着部に装着されていなければそのことを検知することができ、輸液に際して輸液量が正確に算出されて警報や表示等が正確に行われるシリンジポンプを提供することを目的としている。
【００１８】
【課題を解決するための手段】
請求項１に係るシリンジポンプでは、フランジ装着部がフランジ支持部と可動部とを有しており、可動部は回動によってフランジ支持部に対して接近及び離隔可能である。回動による離隔では、例えば弾性変形による離隔に比べて、フランジ支持部と可動部との間の隙間を大きくすることができる。また、可動部がフランジ支持部から離隔している状態でフランジ支持部と可動部との間の隙間が大きくても、回動による接近では、例えば弾性変形による接近に比べて、フランジ支持部と可動部との間の隙間を小さくすることができる。
【００１９】
従って、シリンジの外筒のフランジ部が種々の厚さを有していても、フランジ支持部と可動部との間にフランジ部が容易に装着され、この様に装着が容易であるにも拘らず装着状態ではフランジ部がフランジ支持部に圧接される。しかも、フランジ装着部の可動部を回動させるためのフランジ装着操作部がフランジ装着部とは別個に具備されている。このため、フランジ装着部の周囲の空間に余裕がなくて操作者が可動部を直接に回動させることが容易ではない場合等でも、フランジ支持部と可動部との間にフランジ部が容易に装着される。
【００２０】
請求項２に係るシリンジポンプでは、外筒装着部が外筒支持部のみならず外筒押圧部をも有しているので、輸液中におけるシリンジの外筒の移動が高い信頼性で防止される。しかも、フランジ装着操作部が外筒押圧部を兼ねているので、輸液中におけるシリンジの外筒の移動が少ない操作で防止され防止のための操作の漏れも少ない。
【００２１】
請求項３に係るシリンジポンプでは、フランジ装着部の可動部がフランジ支持部への接近を完了した後に、外筒押圧部がシリンジの外筒を外筒支持部へ押圧する。このため、フランジ部が未だフランジ支持部に圧接されていないにも拘らず外筒が外筒支持部に押圧されることが防止されて、輸液中におけるシリンジの外筒の移動が更に高い信頼性で防止される。
【００２２】
請求項４に係るシリンジポンプでは、シリンジの外筒のフランジ部がフランジ装着部に装着されているか否かを検知部が検知する。つまり、シリンジの外筒のフランジ部がフランジ装着部に装着されていなければ、そのことを検知部が検知することができるので、操作者が検知部のこの検知に基づいてフランジ部をフランジ装着部に直ちに装着しなおすことができる。
【００２３】
【発明の実施の形態】
以下、本願の発明の一実施形態を、図１〜８を参照しながら説明する。図５〜８が、シリンジが装着されていない状態にある本実施形態のシリンジポンプを示している。本実施形態のシリンジポンプ３１には、筐体３２の上面部である操作・表示部３３と把手部３４とシリンジ装着部３５とが設けられている。操作・表示部３３には各種の操作釦や表示部が設けられており、シリンジ装着部３５にはフランジ装着部３６、外筒装着部３７、スライダ３８及びシリンジ径検知部４１が設けられている。
【００２４】
外筒装着部３７には操作・表示部３３の一部に沿って延びる突条４２が設けられており、操作・表示部３３と突条４２との間に断面Ｖ字状の溝４３が設けられている。突条４２におけるスライダ３８側の端面には突条４２と同様な断面形状を有する突部４４が対向しており、この突部４４と操作・表示部３３とにおけるスライダ３８側の端面４５にフランジ押圧板４６が対向している。端面４５やフランジ押圧板４６等がフランジ装着部３６を構成している。フランジ押圧板４６は、溝４３と同様なＶ字状の端面形状を有しており、一対のピン４７ａ、４７ｂによって筐体３２に回動可能に取り付けられている。
【００２５】
筐体３２内にはフランジ押圧ブロック４８が溝４３の延在方向へ移動可能に取り付けられており、このフランジ押圧ブロック４８のスライダ３８側の端部に溝４８ａが設けられている。ピン４７ａのフランジ押圧板４６から突出している部分はＬ字状に曲がっており、その先端部が溝４８ａ内に配置されている。フランジ押圧ブロック４８の溝４８ａとは反対側の端部には圧縮コイルばね５１が取り付けられており、この圧縮コイルばね５１によってフランジ押圧ブロック４８が溝４８ａ側へ付勢されている。
【００２６】
この付勢によるフランジ押圧ブロック４８の移動によって溝４８ａがスライダ３８に接近している。ピン４７ａの先端部が溝４８ａ内に配置されているので、溝４８ａがスライダ３８に接近していると、ピン４７ａ、４７ｂ及びフランジ押圧板４６が回動しており、フランジ押圧板４６の先端部が端面４５に圧接している。
【００２７】
突条４２と突部４４との間に外周面が所定の角度範囲で平面である円筒部５２が設けられており、この円筒部５２の外周面と一致する内周面を有する円筒状であり先端部が鉤状になっている摘み５３が円筒部５２に外挿されている。筐体３２内には円筒部５２と同軸状の円筒部５４が設けられており、この円筒部５４には軸方向に延びるスリットが設けられている。摘み５３には摘み５３よりも長い円柱部５５が摘み５３と同軸状に取り付けられており、この円柱部５５は円筒部５２、５４内を通って筐体３２内へ突出している。
【００２８】
円柱部５５には軸方向の外周面上にラック５６ａを有する円筒部５６が外挿されており、円筒部５４における軸方向のスリット内にラック５６ａが挿入されている。円柱部５５の先端のＥリング５７で円柱部５５からの円筒部５６の脱落が防止されている。円筒部５２、５４内で圧縮コイルばね５８が円柱部５５に外挿されており、この圧縮コイルばね５８によって円筒部５６、円柱部５５及び摘み５３が筐体３２外から筐体３２内へ向かう方向へ付勢されている。図５〜８の状態では、摘み５３の下端面が筐体３２の外表面に圧接している。
【００２９】
円筒部５６の外周面にはリンク取付具６１が嵌め込まれており、このリンク取付具６１にリンク６２の一端部が取り付けられている。リンク６２の他端部はフランジ押圧ブロック４８の溝４８ａとは反対側の端部に取り付けられており、この反対側の端部から円筒部５４に沿う方向へ板部４８ｂが延びている。板部４８ｂの先端部の両側には発光素子６３と受光素子とが配置されている。円筒部５４の近傍にはポテンシオメータ６４が取り付けられており、このポテンシオメータ６４の歯車とラック５６ａとが噛み合っている。ポテンシオメータ６４、ラック５６ａ、摘み５３等がシリンジ径検知部４１を構成している。
【００３０】
スライダ３８には、スライダ３８をスライドさせるための駆動軸６５とこのスライドに際してスライダ３８を案内するための案内軸６６とが連結されている。駆動軸６５は筐体３２内の駆動機構に連結されている。スライダ３８には、シリンジの内筒を挟持するための一対の挟持部６７と、シリンジの内筒のフランジ部を検知するための検知部６８と、スライダ３８を操作するための操作釦７１が設けられている。操作釦７１を押圧すると、一対の挟持部６７が互いに離隔してシリンジの内筒を挟持可能な状態になり、また、スライダ３８が手動でスライド可能な状態になる。
【００３１】
以上の様なシリンジポンプ３１を使用するためには、まず、圧縮コイルばね５８の付勢力に抗して、摘み５３を筐体３２の外表面から離隔させる方向へ円筒部５２の外周面上を移動させる。この移動に伴って、筐体３２内から筐体３２外へ向かう方向へ円柱部５５が円筒部５２、５４内を移動する。円柱部５５が移動するとＥリング５７も同時に移動するので、円筒部５６もＥリング５７に押されて筐体３２内から筐体３２外へ向かう方向へ円筒部５４内を移動する。
【００３２】
この時、リンク取付具６１はリンク６２を介して圧縮コイルばね５１の付勢力を受けており、リンク６２を介して受ける圧縮コイルばね５１の付勢力には、筐体３２外から筐体３２内へ向かう成分が含まれている。この成分のために、リンク取付具６１は円筒部５６に対してスライドして、Ｅリング５７がリンク取付具６１に当接するまではリンク取付具６１は円筒部５４に接近しない。摘み５３を筐体３２の外表面から更に離隔させてＥリング５７がリンク取付具６１に当接すると、図４に示されている様に、その時点から円筒部５４に当接するまで、リンク取付具６１もＥリング５７に押されて円筒部５６と共に移動する。
【００３３】
リンク取付具６１がＥリング５７に押されると、今度は、フランジ押圧ブロック４８がリンク６２を介してリンク取付具６１から力を受ける。この力には、フランジ押圧ブロック４８の溝４８ａから圧縮コイルばね５１へ向かう成分が含まれている。この成分のために、圧縮コイルばね５１による付勢力に抗して、フランジ押圧ブロック４８が溝４８ａから圧縮コイルばね５１へ向かう方向へ動かされる。フランジ押圧ブロック４８のこの移動によって、フランジ押圧板４６の先端部が端面４５から離隔する方向へピン４７ａ、４７ｂ及びフランジ押圧板４６が回動して、端面４５とフランジ押圧板４６との間に隙間が形成される。
【００３４】
リンク取付具６１が円筒部５４に当接すると、それ以上には摘み５３を筐体３２の外表面から離隔させることができない。この状態では、摘み５３の下端面が円筒部５２の上端面よりも僅かに高くなっており、摘み５３及び円柱部５５を円筒部５２に対して回転させることができる。上述の様に、円筒部５２の外周面が所定の角度範囲で平面であり、摘み５３の内周面も円筒部５２の外周面と一致している。このため、摘み５３及び円柱部５５を円筒部５２に対して回転させると、摘み５３の断面が円筒部５２の断面と対応しなくなる。
【００３５】
この結果、圧縮コイルばね５８の付勢力に抗して摘み５３を筐体３２の外表面から離隔させる力を解除しても、摘み５３は円筒部５２上に位置したままで筐体３２の外表面に接近しない。従って、この状態で、図１、２に示されている様に、薬液等が装填されているシリンジ７２をシリンジ装着部３５に装着する。この装着に際しては、シリンジ７２の外筒７３を外筒装着部３７に装着し、図４の状態で端面４５とフランジ押圧板４６との間に形成されている隙間に外筒７３のフランジ部７４を挿入する。この隙間の幅は、各種の型式のシリンジ７２のうちで最も厚いフランジ部７４でも挿入可能な値に決定されている。
【００３６】
また、操作釦７１を押圧し、一対の挟持部６７を互いに離隔させた状態で、内筒７５を挟持部６７で挟持可能な位置までスライダ３８を手動でスライドさせる。そして、その位置で、操作釦７１の押圧を解除し、一対の挟持部６７を互いに接近させて、これらの挟持部６７で内筒７５を挟持する。その後、摘み５３の断面が円筒部５２の断面と対応するまで、図４の状態にするための既述の回転とは逆方向へ摘み５３及び円柱部５５を円筒部５２に対して回転させる。
【００３７】
この結果、圧縮コイルばね５８の付勢力によって、摘み５３が筐体３２の外表面に接近する方向へ円筒部５２の外周面上を移動する。この移動に伴って、筐体３２外から筐体３２内へ向かう方向へ円柱部５５が円筒部５２、５４内を移動する。円柱部５５が移動するとＥリング５７も同時に移動するので、円筒部５６も圧縮コイルばね５８の付勢力で筐体３２外から筐体３２内へ向かう方向へ円筒部５４内を移動する。
【００３８】
Ｅリング５７が円柱部５５と同時に移動すると、Ｅリング５７からリンク取付具６１及びリンク６２を介してフランジ押圧ブロック４８に印加されている力が解除される。この結果、圧縮コイルばね５１の付勢力によってフランジ押圧ブロック４８が溝４８ａ側へ移動して、溝４８ａがスライダ３８に接近する。このため、フランジ押圧板４６が端面４５に接近する方向へピン４７ａ、４７ｂ及びフランジ押圧板４６が回動し、フランジ押圧板４６がフランジ部７４を押圧して、フランジ部７４が端面４５に圧接する。
【００３９】
リンク取付具６１もリンク６２を介する圧縮コイルばね５１からの付勢力によって円筒部５６と共に移動して円筒部５４から離隔する。フランジ部７４が端面４５に圧接すると、フランジ押圧ブロック４８及びリンク取付具６１はそれ以上には移動しない。フランジ部７４が端面４５に圧接した後も摘み５３は筐体３２の外表面に接近するが、摘み５３がシリンジ７２の外筒７３を押圧してこの外筒７３が溝４３の内面に圧接すると、摘み５３もそれ以上には移動しない。
【００４０】
図１に示されている様に、フランジ押圧板４６がフランジ部７４を押圧して、フランジ部７４が端面４５に圧接していれば、このフランジ部７４の厚さが各種の型式のシリンジ７２のうちで最も薄くても、フランジ押圧ブロック４８の板部４８ｂの先端部は発光素子６３と受光素子との間に位置している。このため、受光素子が発光素子６３からの光を受光することができず、これによって、フランジ装着部３６にフランジ部７４が正しく装着されていることが検知される。この検知状態では、輸液が正常に開始され得る。
【００４１】
また、フランジ部７４が端面４５に圧接していれば、フランジ部７４が種々の厚さを有していても、輸液中に内筒７５のフランジ部７６がスライダ３８に押されることによる外筒７３の移動が防止される。このため、輸液が正確な速度で行われる。
【００４２】
一方、図５に示されている様にシリンジ７２がシリンジポンプ３１に全く装着されていないか、または、図３に示されている様にシリンジ７２の外筒７３が外筒装着部３７に装着されているがフランジ部７４がフランジ装着部３６に装着されていなければ、受光素子が発光素子６３からの光を受光することを阻害できる位置には板部４８ｂの先端部がなく、この受光によって、フランジ装着部３６にフランジ部７４が装着されていないことが検知される。この検知状態では、輸液を開始しようとしても、操作・表示部３３がその旨を警告及び表示して、輸液が開始され得ない。
【００４３】
図３に示されている様にシリンジ７２の内筒７５がスライダ３８の挟持部６７に挟持されていない場合にも、このことを検知部６８が検知し、操作・表示部３３がその旨を警告及び表示して、輸液が開始され得ない。従って、操作者はこれらの警告及び表示に基づいてシリンジ７２をシリンジ装着部３５及びスライダ３８に装着しなおすことができる。
【００４４】
シリンジ７２がシリンジ装着部３５に正しく装着されていると、摘み５３は外筒７３を押圧している状態で静止しており、ポテンシオメータ６４の歯車とラック５６ａとの噛合い位置が外筒７３の直径に対応している。従って、ポテンシオメータ６４の出力から外筒７３の直径が求められる。この直径が規格外の値であれば、操作・表示部３３がその旨を警告及び表示して、輸液が開始され得ない。外筒７３の直径が規格内の値であれば、所望の輸液速度を得るためのスライダ３８のスライド速度がこの直径から決定される。
【００４５】
輸液が終了した場合や輸液の途中でシリンジ７２を交換する場合にシリンジ７２をシリンジ装着部３５から離脱させるためには、シリンジ７２を装着するために摘み５３を図５の状態から図４の状態へ変化させた場合と同様な操作で、摘み５３を図１の状態から図４の状態へ変化させる。この場合には、摘み５３が外筒７３の押圧を解除した後に、フランジ押圧板４６が端面４５から離隔する方向へ回動する。以上の説明から明らかな様に、フランジ押圧板４６を端面４５に対して接近及び離隔させるための操作手段と外筒７３を押圧するための押圧手段とを、摘み５３が兼ねている。
【００４６】
但し、これらの操作手段と押圧手段とを摘み５３が必ずしも兼ねている必要はなく、フランジ押圧板４６を端面４５に対して接近及び離隔させるための操作手段が摘み５３とは別に設けられていてもよい。また、フランジ押圧板４６が端面４５に接近する方向へピン４７ａ、４７ｂ及びフランジ押圧板４６を回動させるための力を圧縮コイルばね５１から得ているが、偏心カム等の他の手段からこの力を得てもよい。
【００４７】
【発明の効果】
請求項１に係るシリンジポンプでは、シリンジの外筒のフランジ部が種々の厚さを有していても、フランジ支持部と可動部との間にフランジ部が容易に装着され、この様に装着が容易であるにも拘らず装着状態ではフランジ部がフランジ支持部に圧接される。このため、輸液中におけるシリンジの外筒の移動が確実に防止されて、輸液が正確な速度で行われる。
【００４８】
請求項２に係るシリンジポンプでは、輸液中におけるシリンジの外筒の移動が高い信頼性で防止され、しかも、この移動が少ない操作で防止され防止のための操作の漏れも少ない。このため、シリンジの外筒のフランジ部が種々の厚さを有していても、輸液が更に正確な速度で且つ簡単確実に行われる。
【００４９】
請求項３に係るシリンジポンプでは、輸液中におけるシリンジの外筒の移動が更に高い信頼性で防止される。このため、シリンジの外筒のフランジ部が種々の厚さを有していても、輸液が更に正確な速度で行われる。
【００５０】
請求項４に係るシリンジポンプでは、シリンジの外筒のフランジ部がフランジ装着部に装着されていなければ、そのことを検知部が検知することができるので、操作者が検知部のこの検知に基づいてフランジ部をフランジ装着部に直ちに装着しなおすことができる。このため、輸液に際して輸液量が正確に算出されて、警報や表示等が正確に行われる。
【図面の簡単な説明】
【図１】シリンジが正しく装着されている状態にある本願の発明の一実施形態における要部の断面図である。
【図２】シリンジが正しく装着されている状態にある本願の発明の一実施形態の平面図である。
【図３】シリンジが誤って装着されている状態にある本願の発明の一実施形態における要部の断面図である。
【図４】シリンジを装着するための準備状態にある本願の発明の一実施形態における要部の断面図である。
【図５】シリンジが装着されていない状態にある本願の発明の一実施形態における要部の断面図である。
【図６】図８のＶＩ−ＶＩ線の位置から見た側面図である。
【図７】図８のＶＩＩ−ＶＩＩ線の位置から見た断面図である。
【図８】シリンジが装着されていない状態にある本願の発明の一実施形態の平面図である。
【図９】シリンジが装着されている状態にある本願の発明の第一従来形態の斜視図である。
【符号の説明】
３１…シリンジポンプ、３６…フランジ装着部、３７…外筒装着部、４３…溝（外筒支持部）、４５…端面（フランジ支持部）、４６…フランジ押圧板（検知部、可動部）、４７ａ…ピン（検知部）、４８…フランジ押圧ブロック（検知部）、５３…摘み（フランジ装着操作部、外筒押圧部）、５７…Ｅリング（差動部）、６１…リンク取付具（差動部）、６３…発光素子（検知部）、７２…シリンジ、７３…外筒、７４…フランジ部
【図１】
2004073373.tif 000003
【図２】
2004073373.tif 000004
【図３】
2004073373.tif 000005
【図４】
2004073373.tif 000006
【図５】
2004073373.tif 000007
【図６】
2004073373.tif 000008
【図７】
2004073373.tif 000009
【図８】
2004073373.tif 000010
【図９】
2004073373.tif 000011